(57)【特許請求の範囲】
【請求項１】
所定量の透析用粉末薬剤及び水が投入され、当該透析用粉末薬剤を溶解及び攪拌して透析用原液を得る溶解槽と、
前記溶解槽で得られた透析用原液を一時的に収容する貯槽と、
該貯槽内に収容された透析用原液を、患者に透析治療を施すための複数の透析装置側に供給する原液供給ラインと、
を具備した溶解装置において、
前記複数の透析装置のうち透析治療中のものにおける透析液の使用量に関するデータをリアルタイムで受信する受信手段と、
該受信手段で受信したデータに基づき、当該受信手段によるデータの受信時点からの透析用原液の使用予定量を演算する演算手段と、
該演算手段で演算された透析用原液の使用予定量に基づき、前記透析装置による透析治療が全て終了する時刻までに前記貯槽内の供給すべき透析用原液が不足するか否かを判定する判定手段と、
を備えたことを特徴とする溶解装置。
【請求項２】
前記透析液の使用量に関するデータは、各透析装置と電気的に接続され、それらを一括管理する中央監視装置から送信されることを特徴とする請求項１記載の溶解装置。
【請求項３】
前記透析液の使用量に関するデータは、現在の透析装置の稼働台数、その日の患者の治療予定人数及び各人毎の治療予定時間、透析治療終了時刻、各透析装置の設定透析液流量を含むことを特徴とする請求項１又は請求項２記載の溶解装置。
【請求項４】
前記透析液の使用量に関するデータは、患者毎の過去のデータであって透析液の使用量に関するものを含むことを特徴とする請求項１〜請求項３の何れか１つに記載の溶解装置。
【請求項５】
前記判定手段により供給すべき透析用原液が不足すると判定されたことを条件として、前記溶解槽に所定量の透析用粉末薬剤及び水を自動的に投入して追加の透析用原液を得ることを特徴とする請求項１〜請求項４の何れか１つに記載の溶解装置。
【請求項６】
前記判定手段により供給すべき透析用原液が不足すると判定されたことを条件として、前記溶解槽にて追加の透析用原液が必要である旨の所定の報知を行う報知手段を具備したことを特徴とする請求項１〜請求項５の何れか１つに記載の溶解装置。
【請求項７】
前記溶解槽で追加の透析用原液を得るのに必要な時間を勘案したタイミングにて、前記溶解槽に所定量の透析用粉末薬剤及び水を自動的に投入、或いは報知手段による所定の報知を行うことを特徴とする請求項５又は請求項６に記載の溶解装置。
【請求項８】
所定量の透析用粉末薬剤及び水が投入され、当該透析用粉末薬剤を溶解及び攪拌して透析用原液を得る溶解槽と、
前記溶解槽で得られた透析用原液を一時的に収容する貯槽と、
該貯槽内に収容された透析用原液を、患者に透析治療を施すための複数の透析装置側に供給する原液供給ラインと、
を具備した溶解装置による溶解方法において、
前記複数の透析装置のうち透析治療中のものにおける透析液の使用量に関するデータをリアルタイムで受信する受信工程と、
該受信工程で受信したデータに基づき、当該受信手段によるデータの受信時点からの透析用原液の使用予定量を演算する演算工程と、
該演算工程で演算された透析用原液の使用予定量に基づき、前記透析装置による透析治療が全て終了する時刻までに前記貯槽内の供給すべき透析用原液が不足するか否かを判定する判定工程と、
を備えたことを特徴とする溶解装置による溶解方法。
【請求項９】
前記透析液の使用量に関するデータは、各透析装置と電気的に接続され、それらを一括管理する中央監視装置から送信されることを特徴とする請求項８記載の溶解装置による溶解方法。
【請求項１０】
前記透析液の使用量に関するデータは、現在の透析装置の稼働台数、その日の患者の治療予定人数及び各人毎の治療予定時間、透析治療終了時刻、各透析装置の設定透析液流量を含むことを特徴とする請求項８又は請求項９記載の溶解装置による溶解方法。
【請求項１１】
前記透析液の使用量に関するデータは、患者毎の過去のデータであって透析液の使用量に関するものを含むことを特徴とする請求項８〜請求項１０の何れか１つに記載の溶解装置による溶解方法。
【請求項１２】
前記判定工程により供給すべき透析用原液が不足すると判定されたことを条件として、前記溶解槽に所定量の透析用粉末薬剤及び水を自動的に投入して追加の透析用原液を得ることを特徴とする請求項８〜請求項１１の何れか１つに記載の溶解装置による溶解方法。
【請求項１３】
前記判定工程により供給すべき透析用原液が不足すると判定されたことを条件として、前記溶解槽にて追加の透析用原液が必要である旨の所定の報知を行うことを特徴とする請求項８〜請求項１２の何れか１つに記載の溶解装置による溶解方法。
【請求項１４】
前記溶解槽で追加の透析用原液を得るのに必要な時間を勘案したタイミングにて、前記溶解槽に所定量の透析用粉末薬剤及び水を自動的に投入、或いは所定の報知を行うことを特徴とする請求項１２又は請求項１３に記載の溶解装置による溶解方法。
【発明の詳細な説明】
【技術分野】
【０００１】
本発明は、透析用粉末薬剤を所定濃度に溶解して透析用原液を得るための溶解装置及びそれによる溶解方法に関する。
【背景技術】
【０００２】
病院等で腎不全患者の治療に使用される透析液は、一般に重炭酸塩系と酢酸系とに区分され、このうち重炭酸塩系の透析液は、重炭酸ナトリウムを含まないもの（以下、Ａ剤という。）と重炭酸ナトリウム（以下、Ｂ剤という。）の２種類の薬剤に水を混合して調整されるものである。近年、運搬性向上の観点から、これらＡ剤及びＢ剤を粉末化したもの（以下、透析用粉末薬剤という。）を透析の前に溶解する試みがなされているが、溶解後の溶液（特にＢ剤）については経時的に濃度の低下が生じやすく、透析後に翌日の分を作り置きしておくことが難しかった。
【０００３】
このため、透析毎に溶解作業が必要となり、従来から溶解のための溶解装置が各種提案されている。例えば特許文献１には、透析用粉末薬剤を溶解する溶解槽（希釈タンク）と、該溶解槽にて生成した透析用原液を一時的に収容する貯槽（貯蔵タンク）とを具備し、当該貯槽で収容された透析用原液を人工透析液供給装置に逐次送液する溶解装置が開示されている。
【特許文献１】特開昭５７−１５９５２９号公報
【発明の開示】
【発明が解決しようとする課題】
【０００４】
しかしながら、上記従来の溶解装置においては、以下の如き問題があった。
病院等医療機関における溶解装置で溶解生成する透析用原液は、極めて多量であるとともに患者数が一定でない故使用量が日毎に変動し、且つ、原液組成の時間的変化を回避する理由から、通常、複数回に分けて生成される。即ち、貯槽内の透析用原液が少なくなった時点で追加の透析用原液を溶解槽で生成し、当該透析用原液が不足する事態を回避しているのである。
【０００５】
然るに、通常の病院等医療機関においては、複数の透析装置が設置された透析室と透析用原液を生成する溶解装置（該溶解装置にて生成された透析用原液（Ａ剤及びＢ剤）を混合して所定濃度の透析液を作製する透析液供給装置など含む）が設置された機械室とは別個とされており、貯槽内の透析用原液が少なくなっているか否かを判断するには、透析技士等医療従事者が透析室と機械室との両方を頻繁に監視しなければならないという問題があった。
【０００６】
また、医療従事者が貯槽内の透析用原液の量を目視して、追加の生成を必要とするか否かの判断がなされるのであるが、各患者の透析治療時間が３〜５時間位の範囲で異なるため、これから使用するであろう透析用原液を予測するのは極めて困難である。従って、透析用原液の不足による透析治療の中断を避けるべく、透析治療終了間際において追加生成が不要であろうと思われる場合であっても、念のため追加生成せざるを得ず、大量の透析用原液が余ってしまう可能性が高いという問題もあった。
【０００７】
ところで、通常の透析装置には、透析時間（透析終了時間）など透析液の使用量に関するデータ（透析条件）が入力されており、そのようなデータは例えば中央監視装置などにて一括管理されている。本出願人は、当該透析液の使用量に関わるデータを利用すれば、上記の如き貯槽内の透析用原液が不足する事態を回避できると考え、鋭意検討するに至った。
【０００８】
本発明は、このような事情に鑑みてなされたもので、透析用原液の追加生成をすべきか否かの判断を自動的且つ正確に行わせることができるとともに、当該透析用原液が不足する事態を避けつつ透析治療終了時点で大量の透析用原液が余ってしまうという不具合を回避することができる溶解装置及びそれによる溶解方法を提供することにある。
【課題を解決するための手段】
【０００９】
請求項１記載の発明は、所定量の透析用粉末薬剤及び水が投入され、当該透析用粉末薬剤を溶解及び攪拌して透析用原液を得る溶解槽と、前記溶解槽で得られた透析用原液を一時的に収容する貯槽と、該貯槽内に収容された透析用原液を、患者に透析治療を施すための複数の透析装置側に供給する原液供給ラインとを具備した溶解装置において、前記複数の透析装置のうち透析治療中のものにおける透析液の使用量に関するデータをリアルタイムで受信する受信手段と、該受信手段で受信したデータに基づき、当該受信手段によるデータの受信時点からの透析用原液の使用予定量を演算する演算手段と、該演算手段で演算された透析用原液の使用予定量に基づき、前記透析装置による透析治療が全て終了する時刻までに前記貯槽内の供給すべき透析用原液が不足するか否かを判定する判定手段とを備えたことを特徴とする。
【００１０】
請求項２記載の発明は、請求項１記載の溶解装置において、前記透析液の使用量に関するデータは、各透析装置と電気的に接続され、それらを一括管理する中央監視装置から送信されることを特徴とする。
【００１１】
請求項３記載の発明は、請求項１又は請求項２記載の溶解装置において、前記透析液の使用量に関するデータは、現在の透析装置の稼働台数、その日の患者の治療予定人数及び各人毎の治療予定時間、透析治療終了時刻、各透析装置の設定透析液流量を含むことを特徴とする。
【００１２】
請求項４記載の発明は、請求項１〜請求項３の何れか１つに記載の溶解装置において、前記透析液の使用量に関するデータは、患者毎の過去のデータであって透析液の使用量に関するものを含むことを特徴とする。
【００１３】
請求項５記載の発明は、請求項１〜請求項４の何れか１つに記載の溶解装置において、前記判定手段により供給すべき透析用原液が不足すると判定されたことを条件として、前記溶解槽に所定量の透析用粉末薬剤及び水を自動的に投入して追加の透析用原液を得ることを特徴とする。
【００１４】
請求項６記載の発明は、請求項１〜請求項５の何れか１つに記載の溶解装置において、前記判定手段により供給すべき透析用原液が不足すると判定されたことを条件として、前記溶解槽にて追加の透析用原液が必要である旨の所定の報知を行う報知手段を具備したことを特徴とする。
【００１５】
請求項７記載の発明は、請求項５又は請求項６に記載の溶解装置において、前記溶解槽で追加の透析用原液を得るのに必要な時間を勘案したタイミングにて、前記溶解槽に所定量の透析用粉末薬剤及び水を自動的に投入、或いは報知手段による所定の報知を行うことを特徴とする。
【００１６】
請求項８記載の発明は、所定量の透析用粉末薬剤及び水が投入され、当該透析用粉末薬剤を溶解及び攪拌して透析用原液を得る溶解槽と、前記溶解槽で得られた透析用原液を一時的に収容する貯槽と、該貯槽内に収容された透析用原液を、患者に透析治療を施すための複数の透析装置側に供給する原液供給ラインとを具備した溶解装置による溶解方法において、前記複数の透析装置のうち透析治療中のものにおける透析液の使用量に関するデータをリアルタイムで受信する受信工程と、該受信工程で受信したデータに基づき、当該受信手段によるデータの受信時点からの透析用原液の使用予定量を演算する演算工程と、該演算工程で演算された透析用原液の使用予定量に基づき、前記透析装置による透析治療が全て終了する時刻までに前記貯槽内の供給すべき透析用原液が不足するか否かを判定する判定工程とを備えたことを特徴とする。
【００１７】
請求項９記載の発明は、請求項８記載の溶解装置による溶解方法において、前記透析液の使用量に関するデータは、各透析装置と電気的に接続され、それらを一括管理する中央監視装置から送信されることを特徴とする。
【００１８】
請求項１０記載の発明は、請求項８又は請求項９記載の溶解装置による溶解方法において、前記透析液の使用量に関するデータは、現在の透析装置の稼働台数、その日の患者の治療予定人数及び各人毎の治療予定時間、透析治療終了時刻、各透析装置の設定透析液流量を含むことを特徴とする。
【００１９】
請求項１１記載の発明は、請求項８〜請求項１０の何れか１つに記載の溶解装置による溶解方法において、前記透析液の使用量に関するデータは、患者毎の過去のデータであって透析液の使用量に関するものを含むことを特徴とする。
【００２０】
請求項１２記載の発明は、請求項８〜請求項１１の何れか１つに記載の溶解装置による溶解方法において、前記判定工程により供給すべき透析用原液が不足すると判定されたことを条件として、前記溶解槽に所定量の透析用粉末薬剤及び水を自動的に投入して追加の透析用原液を得ることを特徴とする。
【００２１】
請求項１３記載の発明は、請求項８〜請求項１２の何れか１つに記載の溶解装置による溶解方法において、前記判定工程により供給すべき透析用原液が不足すると判定されたことを条件として、前記溶解槽にて追加の透析用原液が必要である旨の所定の報知を行うことを特徴とする。
【００２２】
請求項１４記載の発明は、請求項１２又は請求項１３に記載の溶解装置による溶解方法において、前記溶解槽で追加の透析用原液を得るのに必要な時間を勘案したタイミングにて、前記溶解槽に所定量の透析用粉末薬剤及び水を自動的に投入、或いは所定の報知を行うことを特徴とする。
【発明の効果】
【００２３】
請求項１又は請求項８の発明によれば、複数の透析装置のうち透析治療中のものにおける透析液の使用量に関するデータを受信し、その受信したデータに基づき、透析用原液の使用予定量を演算するとともに、演算された透析用原液の使用予定量に基づき、透析装置による透析治療が全て終了する時刻までに貯槽内の供給すべき透析用原液が不足するか否かを判定するので、透析用原液の追加生成をすべきか否かの判断を自動的且つ正確に行わせることができるとともに、当該透析用原液が不足する事態を避けつつ透析治療終了時点で大量の透析用原液が余ってしまうという不具合を回避することができる。
【００２４】
請求項２又は請求項９の発明によれば、透析液の使用量に関するデータは、各透析装置と電気的に接続され、それらを一括管理する中央監視装置から送信されるので、効率的且つ高精度に透析用原液の追加生成をすべきか否かの判断を行わせることができる。
【００２５】
請求項３又は請求項１０の発明によれば、透析液の使用量に関するデータは、現在の透析装置の稼働台数、その日の患者の治療予定人数及び各人毎の治療予定時間、透析治療終了時刻、各透析装置の設定透析液流量を含むので、透析用原液の追加生成をすべきか否かの判断を自動的且つより正確に行わせることができる。
【００２６】
請求項４又は請求項１１の発明によれば、透析液の使用量に関するデータは、患者毎の過去のデータであって透析液の使用量に関するものを含むので、患者固有の透析液の使用量に関するデータにも基づいて、透析用原液の追加生成をすべきか否かの判断を自動的且つ正確に行わせることができる。
【００２７】
請求項５又は請求項１２の発明によれば、判定手段又は判定工程により供給すべき透析用原液が不足すると判定されたことを条件として、溶解槽に所定量の透析用粉末薬剤及び水を自動的に投入して追加の透析用原液を得るので、透析技士等医療従事者の負担を軽減し、作業性をより向上させることができる。
【００２８】
請求項６又は請求項１３の発明によれば、判定手段又は判定工程により供給すべき透析用原液が不足すると判定されたことを条件として、溶解槽にて追加の透析用原液が必要である旨の所定の報知を行うので、水や透析用粉末薬剤の自動供給手段を具備しない溶解装置であっても、透析用原液の追加生成をすべきか否かの判断を自動的に行わせることができる。
【００２９】
請求項７又は請求項１４の発明によれば、溶解槽で追加の透析用原液を得るのに必要な時間を勘案したタイミングにて、溶解槽に所定量の透析用粉末薬剤及び水を自動的に投入、或いは報知手段による所定の報知を行うので、透析用原液が不足してしまう事態をより確実に回避することができる。
【発明を実施するための最良の形態】
【００３０】
以下、本発明の実施形態について図面を参照しながら具体的に説明する。
第１の実施形態に係る溶解装置は、透析用粉末薬剤を所定濃度に溶解して透析用原液を得るためのもので、図１に示すように、透析液供給装置２と共に機械室に設置されたものである。機械室とは隔離された透析室には、複数の透析装置４（透析監視装置）及び中央監視装置３が設置されている。
【００３１】
また、溶解装置１で生成された透析用原液（Ａ剤、Ｂ剤の各濃厚液）は、原液供給ラインＬ１（図３におけるＬ１ａ、Ｌ１ｂ）を介して透析液供給装置２に至り、そこで所定濃度の透析液が作製されるとともに、かかる透析液は、透析液供給ラインＬ２〜Ｌ４を介して各透析装置４（透析監視装置）に供給される。
【００３２】
中央監視装置３は、各透析装置４と配線Ｄ１〜Ｄ２にて電気的に接続され、それらの透析条件等を一括管理するものである。かかる中央監視装置３には、各透析装置４にて行わせる透析治療時の制御データ等が予め記憶されており、当該制御データが各透析装置４に送信される。そして、各透析装置４は、制御データに従い患者に対して透析治療を施すとともに、患者の状態などを中央監視装置３に送信し得るようになっている
【００３３】
すなわち、中央監視装置３には、上記制御データや透析治療時の患者の状態などが常時データとして把握されており、各透析装置４が適切且つ安全に透析治療を行うべく監視し得るよう構成されている。然るに、中央監視装置３が有するデータには、透析液の使用量に関するデータ（以下、透析液データという。）も含まれている。この透析液データには、現在の透析装置４の稼働台数、その日の患者の治療予定人数及び各人毎の治療予定時間、透析治療終了時刻、各透析装置の設定透析液流量が含まれるとともに、患者毎の過去のデータであって透析液の使用量（経過時間における透析液の使用推移等も含む）に関するものも含まれる。
【００３４】
本実施形態においては、中央監視装置３と溶解装置１（具体的には、図２で示す受信手段９）とが配線Ｄ４にて電気的に接続されており、当該中央監視装置３の透析液データが受信手段９にリアルタイムで送信され得るよう構成されている。これにより、透析液データに関して、中央監視装置３と溶解装置１の両者が共有した状態とされる。
【００３５】
溶解装置１は、図２に示すように、定量粉体フィーダ５と、溶解槽６と、貯槽７と、受信手段９と、演算手段１０と、判定手段１１とから主に構成されている。尚、図示はしないが、同図と同様な構成の溶解装置が別個に配設されており、それぞれが透析用粉末薬剤としてのＡ剤、Ｂ剤を溶解撹拌して、各透析用原液を生成し得るようになっている。
【００３６】
定量粉体フィーダ５は、所定量の透析用粉体薬剤（Ａ剤又はＢ剤）を溶解槽６内に投入するためのもので、その駆動源が判定手段１１と電気的に接続され、当該判定手段１１からの制御信号に基づき、所定量の透析用粉体薬剤を溶解槽６内に投入し得るよう構成されている。また、溶解槽６は、水供給源Ａと水供給ラインＬ５を介して接続されており、当該水供給ラインＬ５に配設された電磁バルブＶｗを開放することにより、溶解槽６内に溶解用の水が供給されるよう構成されている。
【００３７】
溶解槽６は、上述の定量粉体フィーダ５及び水供給源Ａから所定量の透析用粉体薬剤及び水が投入され、当該透析用粉末薬剤を溶解及び撹拌して透析用原液（各薬剤の濃厚液）を得るためのもので、内部の収容空間における所定位置にフロートスイッチ８が配設されている。即ち、溶解槽６内に溶解用の水が供給され、その水位がフロートスイッチ８に達した時点で当該水の供給を停止することにより、一定量の水が当該溶解槽６内に収容され得るようになっているのである。尚、図示しない撹拌手段等により、供給された水と透析用粉末薬剤とを撹拌して略均等な濃度の透析用原液を得るようにする。
【００３８】
また、溶解槽６の下底からは移送ラインＬ６が延設されており、その途中に移送ポンプＰ１が配設されるとともに、当該移送ラインＬ６の先端が貯槽７に接続されている。これにより、移送ポンプＰ１を駆動させれば、溶解槽６にて得られた透析用原液が貯槽７内に至るようになっている。
【００３９】
貯槽７は、溶解槽６で得られた透析用原液を一時的に収容するためのもので、ここから透析用原液が後述する透析液供給装置２（複数の透析装置４側）に必要量だけ順次供給されるよう構成されている。この貯槽７の下底からは、原液供給ラインＬ１（厳密には、２つの貯槽から延びる原液供給ラインＬ１ａ、Ｌ１ｂ）が延設されており、その先端が透析液供給装置２に接続されている。即ち、貯槽７内の透析用原液は、透析液供給装置２に送られて所定濃度の透析液とされた後、各透析装置４に供給されるよう構成されているのである。
【００４０】
一方、受信手段９は、既述のように、中央監視装置３から送信された、複数の透析装置４のうち透析治療中のものにおける透析液の使用量に関するデータ（透析液データ）をリアルタイムで受信するものである。尚、本実施形態においては、透析液データが中央監視装置３と受信手段９とを結ぶ配線Ｄ４にて送信されるよう構成されているが、例えば光ファイバなどでデータを光信号として送信し得るもの、或いは無線等にてデータを送信し得るもの等であってもよい。
【００４１】
演算手段１０は、受信手段９と電気的に接続され、当該受信手段９で受信した透析液データに基づき、透析用原液の使用予定量を演算するためのものである。即ち、リアルタイムで受信する透析液データにより、その時点（受信手段９によるデータの受信時点）からの透析液の使用予定量を求めることができるので、これを透析用原液に換算した場合の透析用原液の使用予定量を求めることができるのである。ここで、リアルタイムとは、データ受信時点からの透析用原液の使用予定量を求めることができる程度の頻度をいい、微小時間間隔であってもよい。
【００４２】
判定手段１１は、演算手段１０と電気的に接続され、当該演算手段１０で演算された透析用原液の使用予定量に基づき、透析装置４による透析治療が全て終了する時刻までに貯槽７内の供給すべき透析用原液が不足するか否かを判定するものである。具体的には、演算手段１０で演算された透析用原液の使用予定量と、その時点における貯槽７内の残液の量とを比較し、貯槽７内の透析用原液が空（残液が略０）となるまでの時間を演算して推定する。
【００４３】
その後、その貯槽７内の透析用原液が空となる推定された時間（不足時間）と透析装置４による透析治療が全て終了する時刻とを比較し、不足時間が経過した時刻が透析終了時刻を経過しているか否かを判定するのである。そして、不足時間経過後の時刻が透析終了時刻を超えていなければ、追加の透析用原液は不要とされる一方、超えていれば不足すると判定されて追加の透析用原液が必要と判断される。
【００４４】
然るに、使用速度が求められた時点の貯槽７内の残液の量は、その時点までに作製された透析用原液の量と、その時点までに消費された透析液データとから把握されるが、計算値と実際の残液の量とには誤差があり、何れかのタイミングで誤差の確認が必要であるため、例えば貯槽７の下面に圧力ゲージ等から成るレベルセンサ（不図示）を配設して当該残液の量における誤差の確認を行うようにしてもよい。レベルセンサとしての圧力ゲージは、貯槽７底面に付与される圧力から換算して当該貯槽７内における透析用原液の液圧を検出し得るものであり、その検出された液圧に基づき透析用原液の量（残液の量）を検出することができる。
【００４５】
ここで、透析治療が全て終了する時刻は、複数の患者のうち最終の者の透析終了時間とされ、中央監視装置３から送信される透析液データに含まれる。また、何れかの透析装置４における透析治療時間が延長された場合、その延長に伴って変更される透析終了時間が受信手段９に送信され、判定手段１１による判定の基準とし得るようになっている。尚、透析治療が全て終了する時刻を、予め医療機関が定めたその日の全患者の透析治療が終了する予定時刻としてもよく、或いは図示しない別個の入力手段にて個別に入力するようにしてもよい。
【００４６】
判定手段１１と定量粉体フィーダ５及び電磁バルブＶｗとは電気的に接続されており、当該判定手段１１により供給すべき透析用原液が不足すると判定されると、所定の制御信号が定量粉体フィーダ５及び電磁バルブＶｗの駆動源に送信されるよう構成されている。これにより、前記判定手段により供給すべき透析用原液が不足すると判定されたことを条件として、溶解槽６に所定量の透析用粉末薬剤及び水を自動的に投入して追加の透析用原液を得ることができる。
【００４７】
ここで、溶解槽６で追加の透析用原液を得るためには、水及び透析用粉末薬剤の投入、及び溶解、撹拌動作のために所定時間を要する。そのため、本実施形態においては、溶解槽６で追加の透析用原液を得るのに必要な時間を予め測定しておき、その必要な時間を勘案したタイミングにて溶解槽６に所定量の透析用粉末薬剤及び水を自動的に投入するよう制御されることとなる。
【００４８】
透析液供給装置２は、図３に示すように、水が流動するとともにその水量を計測する水計量手段１２が配設された水供給ラインＬｗと、定量ポンプＰａ（ピストンポンプ）が接続されるとともにＡ剤を溶解して得られた透析用原液を流動させる原液ラインＬ１ａと、定量ポンプＰｂ（ピストンポンプ）が接続されるとともにＢ剤を溶解して得られた透析用原液を流動させる原液ラインＬ１ｂと、透析液貯槽１３と、送液ポンプＰ２とを主に有して構成されている。尚、原液ラインＬ１ａ及びＬ１ｂは、図２における原液供給ラインＬ１と連通したものである。また、図３において作製した透析液の濃度を測定する濃度測定部や透析液を加温する加温部などは省略してある。
【００４９】
水供給ラインＬｗにおける水は、水計量手段１２を経た後、原液ラインＬ１ａ及びＬ１ｂからの透析用原液を混合し、所定濃度の透析液を作製した後、その透析液が透析液貯槽１３内に至ることとなる。かかる透析液貯槽１３には、フロートスイッチＳＨ、及びフロートスイッチＳＬが配設されており、当該透析液貯槽１３内の透析液の液位が上限又は下限に達したことを検出することが可能とされている。然るに、透析液が透析液貯槽１３を経由することにより、透析液から発生したガス等を分離除去し得るよう構成されており、ガス等が分離除去された透析液は、送液ポンプＰ２の駆動により透析液供給ラインＬ２〜Ｌ４を介して各透析装置４に供給される。
【００５０】
然るに、各透析装置４に供給された透析液により、患者に対して透析治療が施されることとなる。また、各透析装置４と中央監視装置３との間では、既述のように、透析治療に関わるデータ（治療条件や治療時間等）が送受信されており、最適且つ安全な治療が行われるよう構成されている。
【００５１】
次に、本実施形態に係る溶解装置における作用について説明する。
まず、透析治療開始前において、電磁バルブＶｗを開放して、フロートスイッチ８が液位を検知するまで溶解槽６内に水を投入するとともに、定量粉体フィーダ５から所定量の透析用粉末薬剤を投入し、当該透析用粉体薬剤を溶解及び撹拌して透析用原液を得る。通常、本実施形態の如き溶解装置においては、溶解可能な容量はフロートスイッチ８で決まる水量に相当する量だけであり、１袋分の透析用粉体薬剤から生成される透析用原液量（例えばＢ原液の場合は、１１．３４Ｌ、Ａ原液の場合は、９Ｌ）が得られるよう設定されている。
【００５２】
その後、移送ポンプＰ１を駆動させて、溶解槽６内の透析用原液の全量を貯槽７に移送させておく。しかして、透析治療が開始されると、原液供給ラインＬ１を介して透析液供給装置２に透析用原液が供給され、そこで所定濃度の透析液が作製されるとともに、当該作製された透析液が各透析装置４に供給されて患者に対する透析治療が施されることとなる。
【００５３】
上記の如き溶解装置１による透析用原液の供給の過程において、受信手段９は、複数の透析装置４のうち透析治療中のものにおける透析液の使用量に関するデータ（透析液データ）を中央監視装置３からリアルタイムで受信し（受信工程）、受信工程で受信した透析液データに基づき、透析用原液の使用予定量を演算する（演算工程）。そして、演算工程で演算された透析用原液の使用予定量に基づき、透析装置４による透析治療が全て終了する時刻までに貯槽７内の供給すべき透析用原液が不足するか否かを判定する（判定工程）。
【００５４】
かかる判定工程による追加の要否判定は、本実施形態においては、追加の透析用原液を得るのに必要な時間を予め測定しておき、その必要な時間間際まで溶解作業を行うのを待ち、その後、溶解作業を行わせるよう構成されている。判定工程にて透析用原液が不足すると判定された場合、制御信号が定量粉体フィーダ５及び電磁バルブＶｗの駆動源に送信され、溶解槽６に所定量の透析用粉末薬剤及び水を自動的に投入して追加の透析用原液を得る。但し、上述したように、当該制御信号は、追加の透析用原液を得るのに必要な時間間際まで待ち、その後送信されることとなる。
【００５５】
然るに、透析治療終了に近づくに伴い、透析治療が施される患者数が順次減るので、透析液の使用予定量が低下し、透析用原液の使用予定量も低下することとなる。従って、透析治療が行われる時間帯の遅い段階（最終段階）で判定手段１１による追加の要否の判定を行うようにするのが好ましい。即ち、既述の如く１回の溶解で得られる透析用原液量は、Ａ原液の場合において９Ｌであるので、１日に実際に使用されるＡ原液量が仮に２００Ｌだとすると、１９８Ｌの透析用原液が作製される２２回の溶解動作まで（所定時間経過まで）は判定手段１１による判定を行わず、透析終了時刻間際となった時点で当該時刻を基準として追加の要否の判定するようにしてもよい。尚、実施に使用される透析用原液量（２００Ｌ）を正確に把握するのは困難であるが、例えばおおまかに１５袋（９Ｌ×１５袋＝１３５Ｌ）の原液を作製するまでは溶解動作を続け、それ以降は透析終了時刻を基準として追加の要否判定を行いながら溶解を続行させるようにしてもよい。
【００５６】
また、溶解槽６内に透析用原液が残存している場合、追加の透析用原液を更に生成する必要がないため、判定手段１１による追加の要否の判定は、当該溶解槽６内に透析用原液が残存していない場合に限るのが好ましい。
【００５７】
本実施形態によれば、複数の透析装置４のうち透析治療中のものにおける透析液の使用量に関するデータ（透析液データ）を受信し、その受信した透析液データに基づき、透析用原液の使用予定量を演算するとともに、演算された透析用原液の使用予定量に基づき、透析装置による透析治療が全て終了する時刻までに貯槽７内の供給すべき透析用原液が不足するか否かを判定するので、透析用原液の追加生成をすべきか否かの判断を自動的且つ正確に行わせることができるとともに、当該透析用原液が不足する事態を避けつつ透析治療終了時点で大量の透析用原液が余ってしまうという不具合を回避することができる。
【００５８】
また、判定手段１１又は判定工程により供給すべき透析用原液が不足すると判定されたことを条件として、溶解槽６に所定量の透析用粉末薬剤及び水を自動的に投入して追加の透析用原液を得るので、透析技士等医療従事者の負担を軽減し、作業性をより向上させることができる。更に、判定手段１１又は判定工程が、貯槽７内の透析用原液が空となる推定された時間と透析装置４による透析治療が全て終了する時刻とを比較し、透析用原液が不足するか否かを判定するので、より精度よく、透析用原液の追加生成をすべきか否かの判断を自動的に行わせることができる。
【００５９】
また、既存の中央監視装置において、上記の如き透析液データを有しているものが多いので、当該透析液データを収集するための新たな構成が不要であり、既存の装置構成を流用することができる。同時に、溶解槽６で追加の透析用原液を得るのに必要な時間を勘案したタイミングにて、溶解槽６に所定量の透析用粉末薬剤及び水を自動的に投入するので、透析用原液が不足してしまう事態をより確実に回避することができる。尚、本実施形態によれば、透析用原液の使用量を正確に求めなくても、予想される使用量より少なめに溶解するよう動作させ、不足が生じた際に自動的に追加溶解できる。
【００６０】
次に、本発明に係る第２の実施形態について説明する。
本実施形態に係る溶解装置は、第１の実施形態と同様、透析用粉末薬剤を所定濃度に溶解して透析用原液を得るべく機械室に設置されたもので（図１参照）、図４に示すように、溶解槽６と、貯槽７と、受信手段９と、演算手段１０と、判定手段１１と、報知手段１５とから主に構成されている。
【００６１】
尚、第１の実施形態と同様の構成要素には、同一の符号を付すこととし、その詳細な説明を省略することとする。また、第１の実施形態と同様、図４と同様な構成の溶解装置が別個に配設されており、それぞれが透析用粉末薬剤としてのＡ剤、Ｂ剤を溶解撹拌して、各透析用原液を生成し得るようになっているとともに、図１で示すように、各溶解装置から透析液供給装置２に透析用原液が供給されるようになっている。
【００６２】
溶解槽６は、内部の収容空間の一部にフロートシャフトとフロートから成るフロート式センサ１４が配設されており、電磁バルブＶｗを開放することにより供給される水の水位を検出し得るようになっている。また、本実施形態に係る溶解槽６は、第１の実施形態の定量粉体フィーダの如き自動的に透析用粉末薬剤を投入する手段を具備しておらず、ボトルや袋などに収容された透析用粉末薬剤を手作業で投入するものである。
【００６３】
報知手段１５は、判定手段１１により供給すべき透析用原液が不足すると判定されたことを条件として、溶解槽６にて追加の透析用原液が必要である旨の報知を行うものである。報知手段１５は、例えば画面などの表示手段にて追加の透析用原液が必要である旨のメッセージを表示したり、或いはＬＥＤ等による点灯又は点滅を行って報知を行うものであってもよい。また、別個にスピーカ等を設け、当該スピーカから警告音を発するよう構成してもよい。尚、報知手段１５は、機械室或いは透析室の何れに設置してもよいが、透析室に設置すれば、通常透析室にいる透析技士等医療従事者に対して確実に注意を促すことができる。
【００６４】
次に、本実施形態に係る溶解装置における作用について説明する。
まず、手動操作で電磁バルブＶｗを開放して、フロートスイッチ１４が所望の液位を検知するまで溶解槽６内に水を投入するとともに、手作業にて所定量の透析用粉末薬剤を投入し、当該透析用粉体薬剤を溶解及び撹拌して透析用原液を得る。通常、本実施形態の如き溶解装置においては、透析技士等医療従事者が頻繁に機械室に行かなければならなくなるのを回避すべく溶解槽６の容量は比較的大きく（通常、１００〜２００Ｌ）設定される一方、装置全体の大型化を避けるべく貯層７は比較的小さく（通常、５０Ｌ程度）設定されている。
【００６５】
その後、貯槽７の透析用原液量によって随時移送ポンプＰ１を駆動させて、溶解槽６内の透析用原液を貯槽７に移送させておく。しかして、透析治療が開始されると、原液供給ラインＬ１を介して透析液供給装置２に透析用原液が供給され、そこで所定濃度の透析液が作製されるとともに、当該作製された透析液が各透析装置４に供給されて患者に対する透析治療が施されることとなる。
【００６６】
上記の如き溶解装置１による透析用原液の供給の過程において、受信手段９は、複数の透析装置４のうち透析治療中のものにおける透析液の使用量に関するデータ（透析液データ）を中央監視装置３からリアルタイムで受信し（受信工程）、受信工程で受信した透析液データに基づき、透析用原液の使用予定量を演算する（演算工程）。そして、演算工程で演算された透析用原液の使用予定量に基づき、透析装置４による透析治療が全て終了する時刻までに貯槽７内の供給すべき透析用原液が不足するか否かを判定する（判定工程）。
【００６７】
判定工程にて透析用原液が不足すると判定された場合、報知手段１５により所定の報知がなされ、これに従い、透析技士等医療従事者が手動操作で電磁バルブＶｗを開放させ、所望量の水を供給するとともに、手作業にて溶解槽６に所定量の透析用粉末薬剤を投入して追加の透析用原液を得る。ここで、溶解槽６で追加の透析用原液を得るのに必要な時間を予め測定しておき、その必要な時間を勘案したタイミングにて報知手段１５による所定の報知を行うように構成されていること等は、第１の実施形態と同様である。
【００６８】
本実施形態によれば、第１の実施形態と同様、複数の透析装置４のうち透析治療中のものにおける透析液の使用量に関するデータ（透析液データ）を受信し、その受信した透析液データに基づき、透析用原液の使用予定量を演算するとともに、演算された透析用原液の使用予定量に基づき、透析装置による透析治療が全て終了する時刻までに貯槽７内の供給すべき透析用原液が不足するか否かを判定するので、透析用原液の追加生成をすべきか否かの判断を自動的且つ正確に行わせることができるとともに、当該透析用原液が不足する事態を避けつつ透析治療終了時点で大量の透析用原液が余ってしまうという不具合を回避することができる。
【００６９】
また、判定手段１１又は判定工程により供給すべき透析用原液が不足すると判定されたことを条件として、溶解槽６にて追加の透析用原液が必要である旨の所定の報知を行うので、水や透析用粉末薬剤の自動供給手段を具備しない溶解装置６であっても、透析用原液の追加生成をすべきか否かの判断を自動的に行わせることができる。更に、判定手段１１又は判定工程が、貯槽７内の透析用原液が空となる推定された時間と透析装置４による透析治療が全て終了する時刻とを比較し、透析用原液が不足するか否かを判定するので、より精度よく、透析用原液の追加生成をすべきか否かの判断を自動的に行わせることができる。
【００７０】
また、既存の中央監視装置において、上記の如き透析液データを有しているものが多いので、当該透析液データを収集するための新たな構成が不要であり、既存の装置構成を流用することができる。同時に、溶解槽６で追加の透析用原液を得るのに必要な時間を勘案したタイミングにて、報知手段１６による所定の報知を行うので、透析用原液が不足してしまう事態をより確実に回避することができる。
【００７１】
尚、溶解槽６には、連続した液位の測定を可能としたフロートシャフトとフロートから成るフロート式センサ１４が設けられているため、水量を任意に選択することができ、溶解して作製する透析用原液の量を任意変えることができる。従って、比較的大きな容量とされた溶解槽６にて少ない量の溶解を行わせることができるので、追加の透析用原液を得るのに必要な時間を勘案したタイミングを遅らせることができ、判定精度をより向上させることができるとともに、１回の溶解量が少ない故、透析用原液の無駄を更に減らすことができる。
【００７２】
また、本実施形態における溶解槽６は、透析技士等医療従事者が機械室に行って透析用粉末薬剤を投入するので、目視による不足の判断が容易とされ、必ずしも透析終了時刻を入力しておく必要がない。但し、当該透析終了時刻を入力する場合、追加溶解で必要な溶解量を表示するようにすれば、溶解量を決める参考となり便利である。尚、本実施形態によれば、透析用原液の使用量を正確に求めなくても、予想される使用量より少なめに溶解するよう動作させ、不足が生じた際に報知手段１５による報知を行わせることができる。
【００７３】
次に、本発明に係る第３の実施形態について説明する。
本実施形態に係る溶解装置は、先の実施形態と同様、透析用粉末薬剤を所定濃度に溶解して透析用原液を得るべく機械室に設置されたもので（図１参照）、図５に示すように、溶解槽１６と、貯槽１７と、受信手段９と、演算手段１０と、判定手段１１とから主に構成されている。
【００７４】
尚、先の実施形態と同様の構成要素には、同一の符号を付すこととし、その詳細な説明を省略することとする。また、先の実施形態と同様、図５と同様な構成の溶解装置が別個に配設されており、それぞれが透析用粉末薬剤としてのＡ剤、Ｂ剤を溶解撹拌して、各透析用原液を生成し得るようになっているとともに、図１で示すように、各溶解装置から透析液供給装置２に透析用原液が供給されるようになっている。
【００７５】
溶解槽１６は、内部の収容空間の一部にフロートスイッチＳＨ（上限検知用）、ＳＬ（下限検知用）を有しており、電磁バルブＶｗを開放することにより供給される水の水位を所定とするよう構成されている。溶解槽１６と貯槽１７とは上下に併設されており、両者は電磁バルブＶが接続された移送ラインＬ８にて連結されている。即ち、電磁バルブＶを開放すれば、溶解槽１６内の透析用原液が重力にて貯槽１７内に送液されるようになっている。
【００７６】
また、移送ラインＬ８の途中と溶解槽１６の上部とは循環ラインＬ７にて接続されており、該循環ラインＬ７の途中に循環ポンプＰ３が接続されるとともに、透析用粉末薬剤を収容したボトルＢが接続され得るようになっている。これにより、電磁バルブＶを閉塞した状態にて循環ポンプＰ３を駆動させれば、溶解槽１６内の水が循環ラインＬ７及びボトルＢ内を循環することとなり、溶解及び攪拌がなされて均一濃度の透析用原液を得ることができる。尚、ボルトＢは、追加の溶解が必要とされると、空のものから新たな透析用粉末薬剤を収容したものに自動的に交換されるよう構成されている。
【００７７】
また、本実施形態に係る判定手段１１は、電磁バルブＶｗ及び循環ポンプＰ３の駆動源と電気的に接続されており、当該判定手段１１により供給すべき透析用原液が不足すると判定されると、電磁バルブＶｗを開放して溶解槽１６内に水を自動的に供給するとともに、循環ポンプＰ３を駆動させて水を循環ラインＬ７及びボトルＢ内で循環させ、当該ボトルＢ内の透析用粉末薬剤を攪拌しつつ溶解し得るよう構成されている。
【００７８】
尚、第２の実施形態の如く、判定手段１１により供給すべき透析用原液が不足すると判定されると、追加の透析用原液が必要である旨の報知を行う報知手段を当該判定手段１１に接続するよう構成してもよい。然るに、図５中、符号Ｌ９は、溶解槽１６及び貯槽１７の上部から延設された通気ラインを示しており、電磁バルブＶを開放して溶解槽１６内の透析用原液が貯槽１７内に移送される過程で、貯槽１７内に存在していた空気を排出するとともに、溶解槽１６で透析用原液が減少した分だけ当該溶解槽１６内に空気を導入し得るようになっている。
【００７９】
本実施形態によっても、先の実施形態と同様、複数の透析装置４のうち透析治療中のものにおける透析液の使用量に関するデータ（透析液データ）を受信し、その受信した透析液データに基づき、透析用原液の使用予定量を演算するとともに、演算された透析用原液の使用予定量に基づき、透析装置による透析治療が全て終了する時刻までに貯槽１７内の供給すべき透析用原液が不足するか否かを判定するので、透析用原液の追加生成をすべきか否かの判断を自動的且つ正確に行わせることができるとともに、当該透析用原液が不足する事態を避けつつ透析治療終了時点で大量の透析用原液が余ってしまうという不具合を回避することができる。
【００８０】
以上、本実施形態について説明したが、本発明はこれらに限定されず、例えば透析室に個人用透析装置（透析装置毎に透析液供給装置の如き透析液を作製する手段を具備したもの）を併設したものに適用してもよい。この場合であっても、複数の透析装置のうち透析治療中のものにおける透析液の使用量に関するデータ（透析液データ）を受信し、その受信した透析液データに基づき、透析用原液の使用予定量を演算するとともに、演算された透析用原液の使用予定量に基づき、透析装置による透析治療が全て終了する時刻までに貯槽内の供給すべき透析用原液が不足するか否かを判定することができる。
【００８１】
特に、第１の実施形態におけるフロートスイッチ８に代えて、第２の実施形態におけるフロート式センサ１４とすれば、比較的小さな溶解槽６を用いつつ定量粉体フィーダ５により自動で溶解動作を行わせることができる。即ち、フロート式センサ１４を用いることにより、透析終了時刻間際における最終溶解段階では、溶解槽の容量に拘わらず少量の追加溶解も可能となる。従って、少量の追加溶解を可能とし、透析用原液の無駄を少なくすることができる。
【００８２】
また、本実施形態においては、中央監視装置３から透析液の使用量に関するデータを受信手段９に送信しているが、特に中央監視装置３を使用しなくてもよく、例えば透析液供給装置２と各透析装置４との間で通信機能を持たせ、当該透析液供給装置２により透析液データを把握するとともに、その透析液データを溶解装置１の受信手段９に送信するようにしてもよい。更に、各透析装置４と溶解装置１との間で通信機能を持たせ、各透析装置４が把握する透析液データを直接溶解装置１の受信手段９へ送信するようにしてもよい。
【００８３】
また更に、報知手段により溶解槽にて追加の透析用原液が必要である旨の所定の報知を行うものの場合、その報知を見逃す可能性がある。そこで、追加の透析用原液が必要であると報知した際、各透析装置や中央監視装置に信号を送り、透析装置における透析液使用量を強制的に減少させることによって貯槽内の透析用原液が空となるまでの時間を延ばすことができる。そのとき、更に報知手段による報知を行うのが好ましい。
【００８４】
演算手段１０及び判定手段１１は、中央監視装置３に配設されていても、或いは溶解装置１側に配設されていてもよい。勿論、演算手段１０を中央監視装置３側に配設するとともに判定手段１１を溶解装置１側に配設し、これらの間で通信を行って、透析用原液の使用予定量の演算、及び不足の判定を行うようにしてもよい。また、演算手段１０にて透析用原液の使用速度（データの受信時における使用速度）を演算し、かかる使用速度に基づいて、その時点からの透析用原液の使用予定量を演算するようにしてもよい。更に、透析治療途中で予定変更があり、透析液の使用量に関するデータ（透析液データ）が変更されたときは、随時更新されたデータを利用して演算手段による演算及び判定手段による判定が行われるようにすることができる。
【産業上の利用可能性】
【００８５】
複数の透析装置のうち透析治療中のものにおける透析液の使用量に関するデータを受信し、その受信した透析液データに基づき、当該受信手段によるデータの受信時点からの透析用原液の使用予定量を演算するとともに、演算された透析用原液の使用予定量に基づき、透析装置による透析治療が全て終了する時刻までに貯槽内の供給すべき透析用原液が不足するか否かを判定する溶解装置及びそれによる溶解方法であれば、他の機能が付加された如き形態によるもの等にも適用することができる。
【図面の簡単な説明】
【００８６】
【図１】本発明の実施形態（第１〜第３の実施形態に共通）における溶解装置と他の構成要素との接続状態を示す模式図
【図２】本発明の第１の実施形態における溶解装置の構成を示す模式図
【図３】本発明の実施形態（第１〜第３の実施形態に共通）における透析液供給装置の構成を示す模式図
【図４】本発明の第２の実施形態における溶解装置の構成を示す模式図
【図５】本発明の第３の実施形態における溶解装置の構成を示す模式図
【符号の説明】
【００８７】
１    溶解装置
２    透析液供給装置
３    中央監視装置
４    透析装置（透析監視装置）
５    定量粉体フィーダ
６    溶解槽
７    貯槽
８    フロートスイッチ
９  受信手段
１０  演算手段
１１  判定手段
１０  演算手段
１１  判定手段
１２  水計量手段
１３  透析液貯槽
１４  フロート式センサ
１５  報知手段
１６  溶解槽
１７  貯槽
Ｌ１（Ｌ１ａ、Ｌ１ｂ）  原液供給ライン
Ｌ２〜Ｌ４  透析液供給ライン
Ｌ５  水供給ライン
Ｌ６  移送ライン
Ｌ７  循環ライン
Ｌ８  移送ライン
Ｌ９  通気ライン
【図１】
0004475466.tif 000002
【図２】
0004475466.tif 000003
【図３】
0004475466.tif 000004
【図４】
0004475466.tif 000005
【図５】
0004475466.tif 000006